(57)【要約】【課題】戦車の洗浄を省力化し、洗浄水を節約し、洗浄廃水を少なくする効率のよい洗浄システムを提供する。【解決手段】戦車の洗浄システムであって、戦車のキャタピラ部分が漬かる水槽と、戦車に付着した物質を戦車の側面から水を噴きかけて洗浄するスプレー部とキャタピラに付着した物質を除去するための高圧水スプレー部とを有する戦車洗浄システムと、戦車の洗浄方法であって、戦車のキャタピラ部分が漬かるまで水槽に戦車を沈める工程と、戦車の側面からスプレーを噴きかける工程とキャタピラに高圧水のスプレーを噴きかける工程とを有する戦車洗浄方法を提供する。【選択図】図１
2014034317.tif 000002
【特許請求の範囲】
【請求項１】
戦車の洗浄システムであって、
戦車の車輪の少なくとも一部が漬かる水槽と、
キャタピラに直接高圧水を噴きかけるスプレー部と、
戦車に付着した物質を戦車の周囲から水を噴きかけて洗浄するスプレー部
とを有する戦車洗浄システム。
【請求項２】
前記水槽の水から汚濁物質を除去してスプレー用水として再利用する手段を有することを特徴とする請求項１に記載の戦車洗浄システム。
【請求項３】
前記水槽の水から汚濁物質を除去してスプレー用水として再利用する手段が、浄化するためのサンドセパレータと貯水槽を含むことを特徴とする請求項２に記載の戦車洗浄システム。
【請求項４】
前記サンドセパレータと前記貯水槽の間にフィルタを備えたことを特徴とする請求項３に記載の戦車洗浄システム。
【請求項５】
前記水槽に水流を起こさせる手段を有することを特徴とする請求項１乃至４のいずれか１項に記載の戦車洗浄システム。
【請求項６】
前記水流を起こさせる手段が陸上ポンプ又は水中ポンプである請求項５に記載の戦車洗浄システム。
【請求項７】
前記スプレー部による洗浄の結果出て来る廃水を再利用する手段を備えた請求項１乃至６のいずれか１項に記載の戦車洗浄システム。
【請求項８】
戦車の洗浄方法であって、
戦車の車輪の少なくとも一部が漬かるまで水槽に戦車を沈めてキャタピラを少なくとも１回転させる工程と、
キャタピラに高圧水のスプレーを噴きかける工程と、
前記水槽で洗浄した戦車の周囲からスプレーを噴きかける工程
とを有する戦車洗浄方法。
【請求項９】
前記水槽の水を浄化してスプレー用水として再利用することを特徴とする請求項８に記載の戦車洗浄方法。
【請求項１０】
前記水槽の水を浄化するためにサンドセパレータを通した後、上澄水を前期貯水槽に保存し再利用することを特徴とする請求項９に記載の戦車洗浄方法。
【請求項１１】
サンドセパレータで処理した上澄水を、フィルタで濾過したのち貯水槽に貯留し再利用することを特徴とする請求項９又は１０に記載の戦車洗浄方法。
【請求項１２】
前記水槽に水流を起こさせることを特徴とする請求項８乃至１１のいずれか1項に記載の戦車洗浄方法。
【請求項１３】
陸上ポンプ又は水中ポンプを用いて水流を起こさせることを特徴とする請求項８乃至１２のいずれか1項に記載の戦車洗浄方法。
【請求項１４】
スプレー部による洗浄の結果出て来る廃水を再利用することを特徴とする請求項８乃至１３のいずれか１項に記載の戦車洗浄方法。
【発明の詳細な説明】
【技術分野】
【０００１】
本発明は、戦車の洗浄システムと洗浄方法に関する。より詳しくは、戦車全体及び戦車のキャタピラの洗浄システムと洗浄方法に関する。
【背景技術】
【０００２】
現在日本には戦車を保有する基地が多数あるが、戦車の訓練によりキャタピラ、車輪等に泥等の粒子が付着し、訓練後の戦車の洗浄に隊員の手間と時間がかかるという問題があった。そのため、戦車の効率的な洗浄システムが求められていた。
また、地域によっては泥の粒子が細かいために、戦車を洗浄した廃水を放流することにより、田畑に細かい泥の粒子が流れ込み、作物が生育不良になるという問題があった。
【０００３】
さらに、洗浄廃水を池を作って貯留しておいても、雨が降った際にあふれて周辺の農地に悪影響を与えるという問題もあった。そこで、細かい泥の粒子を含む洗浄廃水の処理方法や、洗浄廃水を減らす方法が求められていた。
【発明の概要】
【発明が解決しようとする課題】
【０００４】
戦車の洗浄を省力化し、洗浄水を節約し、洗浄廃水を少なくする洗浄システムを提供する。
【課題を解決するための手段】
【０００５】
本明細書では以下の発明が提供される。
（１）戦車の洗浄システムであって、戦車の車輪の少なくとも一部が漬かる水槽と、キャタピラに直接高圧水を噴きかけるスプレー部と、戦車に付着した物質を戦車の周囲から水を噴きかけて洗浄するスプレー部とを有する戦車洗浄システム。
（２）前記水槽の水から汚濁物質を除去してスプレー用水として再利用する手段を有することを特徴とする（１）に記載の戦車洗浄システム。
（３）前記水槽の水から汚濁物質を除去してスプレー用水として再利用する手段が、浄化するためのサンドセパレータと貯水槽を含むことを特徴とする（２）に記載の戦車洗浄システム。
【０００６】
（４）前記サンドセパレータと前記貯水槽の間にフィルタを備えたことを特徴とする（３）に記載の戦車洗浄システム。
（５）前記水槽に水流を起こさせる手段を有することを特徴とする（１）乃至（４）のいずれか１に記載の戦車洗浄システム。
（６）前記水流を起こさせる手段が陸上ポンプ又は水中ポンプである（５）に記載の戦車洗浄システム
（７）前記スプレー部による洗浄の結果出て来る廃水を再利用する手段を備えた（１）乃至（６）のいずれか１に記載の戦車洗浄システム。
【０００７】
（８）戦車の洗浄方法であって、戦車の車輪の少なくとも一部が漬かるまで水槽に戦車を沈めてキャタピラを少なくとも１回転させる工程と、キャタピラに高圧水のスプレーを噴きかける工程と、前記水槽で洗浄した戦車の側面からスプレーを噴きかける工程とを有する戦車洗浄方法。
（９）前記水槽の水を浄化してスプレー用水として再利用することを特徴とする（８）に記載の戦車洗浄方法。
（１０）前記水槽の水を浄化するためにサンドセパレータを通した後、上澄水を前期貯水槽に保存し再利用することを特徴とする（９）に記載の戦車洗浄方法。
【０００８】
（１１）サンドセパレータで処理した上澄水を、フィルタで濾過したのち貯水槽に貯留し再利用することを特徴とする（９）又は（１０）に記載の戦車洗浄方法。
（１２）前記水槽に水流を起こさせることを特徴とする（８）乃至（１１）のいずれか1に記載の戦車洗浄方法。
（１３）陸上ポンプ又は水中ポンプを用いて水流を起こさせることを特徴とする（８）乃至（１２）のいずれか1に記載の戦車洗浄方法。
（１４）スプレー部による洗浄の結果出て来る廃水を再利用することを特徴とする（８）乃至（１３）のいずれか１に記載の戦車洗浄方法。
【発明の効果】
【０００９】
本発明の洗浄システム、洗浄方法によれば、戦車の洗浄を省力化し、洗浄時間を短縮し、洗浄廃水の量を減らすことができる。
【図面の簡単な説明】
【００１０】
【図１】図１は戦車を浸漬させて泥等を洗い落す水槽を示す図である。（実施例１）
【図２】図２は戦車の周囲からスプレーを噴きかけるスプレー装置を示す図である。（実施例２）
【図３】図３はキャタピラ近傍に取り付けてキャタピラに直接スプレーを噴きかける装置を示す図である。（実施例３）
【発明を実施するための形態】
【００１１】
本発明においては、戦車の洗浄システムと洗浄方法、特に戦車全体と戦車のキャタピラの洗浄システムと洗浄方法が提供される。
【００１２】
本発明によれば、まず、訓練等で泥等の付着した戦車は、車輪の少なくとも一部が漬かる程度の深度の水槽１に進入する。車輪の少なくとも一部が水に漬かればよいが、より効率よく洗浄するためには、下側の車輪のほぼ全体が水に漬かることが好ましい。ここで車輪が水に漬かることにより、車輪やキャタピラに付着した泥等の一定部分が水底に落ちる。この際、水槽の長さはキャタピラが少なくとも１回転できる長さであることが好ましい。１回転よりも短いと一部のキャタピラが地面についたままになり、あるいは、水に漬からない部分が生じ、その部分の泥等が落ちにくくなるからである。また、戦車がスムーズに水槽に入れるように斜面が必要なので、その部分も必要となる。
【００１３】
この際、より効率よく泥等の付着物を除去するために、ポンプ等により水流を起こすことでキャタピラ、車輪等の付着物をより効率よく洗い落すことができる。水流の様式はジェット水流や渦巻き水流でもよく特に制限されない。また、連続水流でも断続的な水流でもよく、空気を含んだ水流でもよい。
【００１４】
水流は水流ノズルから水を噴射させることにより起こさせる。この水は水槽１の水中ポンプで汲み上げて弁１６を経由して水流発生ノズル１４から噴射されて水流を発生させる。
貯水槽には水位計を設け、所定の水位以下に水位が下がったら、水槽１からサンドセパレータに至る弁１５を開け送水する。貯水槽６の水位が所定以上の場合は弁１５を閉じ、弁１６を開放して水流発生ノズルの方に送水し、水流を発生させる。この弁１５，１６は電磁弁が好ましいが、手動式でもよい。
【００１５】
また、戦車が水槽１に進入する前に、戦車のキャタピラを洗浄する装置を戦車の泥除け部等に設置してキャタピラが回転するのに合わせてキャタピラに付着した泥等を水を噴きつけることにより洗浄することができる。キャタピラを洗浄する装置としては、高圧水噴射装置が好ましく用いられる。キャタピラには泥等が高圧で圧着されている場合があり、通常の圧力では除去することが困難な場合があるからである。高圧とは、この場合、５０−２００気圧を言う。より好ましくは８０−１２０気圧である。
【００１６】
キャタピラの洗浄効果を高めるために、高圧水に空気を混入してもよい。空気を混入するためには、ねじ等により空気の混入量を調節できるエゼクターが好ましく用いられる。
戦車の通過により水槽１中の水は泥等が懸濁した状態となるが、この泥等による懸濁水は、取水ポンプ４によりサンドセパレータ５に送られ、遠心分離により、泥や砂等の粒子が分離され、処理後は泥の少ない上澄水となる。この上澄水を貯水槽６に貯留し、キャタピラの洗浄水や次のスプレー部でのスプレー用水として再利用する。
【００１７】
なお、この際、サンドセパレータ５と貯水槽６の間にフィルタを挿入することで再利用水の清澄度を高めることができる。フィルタの例としては、メッシュフィルタ（例えば150メッシュ）、ディスクフィルタ等があげられる。
貯水槽６に貯留された再利用水は必要に応じて高圧ポンプ８によりスプレー部に送られる。
図２は、図１の水槽で泥などを洗い流した後の上部、側部（側面）、底部からのスプレー洗浄装置を示す。水槽から出た戦車は周囲にスプレーノズルが帯状に設置されたパイプの間を走行する。この間に周囲からのスプレーにより泥等がさらに洗い落とされる。
【００１８】
なお、この際、両側だけでなく、戦車の上側及び、底面の下側にもスプレーノズルの付いたパイプを設置し、戦車の上面と、底部とキャタピラの内側に水を噴きつけて洗浄することができる。この際、底部では回転するノズルを用いることで、戦車の底面だけでなく、キャタピラや車輪の内側にも水を噴きつけることができ、より洗浄効果を高めることができる。
【００１９】
上部、側部、下部を洗浄する装置は、少なくとも２つ設置し、水槽１から出た最初の洗浄にはスプレー用水として、図１の水槽の水を処理した再利用水を用い、第２の洗浄装置では、井戸水、水道水等の清澄な水を使用して洗浄することで、水の使用を節約しながら泥の付着を最小にすることができる。
【００２０】
図３は、キャタピラの近傍に設置して直接キャタピラに高圧水を噴きかけてキャタピラに入り込んだ泥等を洗い流す装置を示す。
この場合、スプレーノズルの付いたパイプはキャタピラに直接高圧水を噴射できる位置であればどこに設置してもよいが、戦車の泥除けの部分に好適に設置できる。戦車の泥除け部分にキャタピラの進行方向と略垂直に、キャタピラの面に対しては垂直に近い角度で高圧水が噴射できる角度にノズルを設置し、上側から高圧水をキャタピラに噴射することで、キャタピラの間に入った細かい泥等の粒子も洗い流すことができる。この場合に、前述のように、空気を混入させて洗浄効果を高めることができる。
【００２１】
ここで使用するスプレー用水も、図１の水槽の水を再利用したものである。
図３のキャタピラ上部からのスプレーの洗浄工程では、キャタピラ全周を洗浄するためにスプレーノズルの下をキャタピラが一周する必要があるので、戦車の全長の２倍以上の距離を移動する必要がある。水槽１で前後に往復することでこの要件は満たす。この場合、戦車の後方の泥除け部分にもスプレーノズルを設置できればキャタピラが半周程度するだけでキャタピラの全周を洗浄できる。
【００２２】
なお、スプレー部で洗浄した後も洗浄廃水が出て来るので、この洗浄廃水も適切に処理する必要がある。図１と同様にサンドセパレータとフィルタ等で処理したのち再利用することが好ましい。
【実施例１】
【００２３】
図１において、水槽１には戦車の車輪がほぼ漬かり、かつエンジン部には水が入らない程度の深さに水が張られている。この水槽１に戦車が入り、キャタピラが少なくとも１回転できるるだけ進むことにより、そのキャタピラや車輪に付着した泥をある程度洗い流すことができる。より効率よく泥を洗い落とすために、水槽１内でキャタピラが一周できるだけの距離を数回往復することでより多く泥を洗い落とすことができる。十分泥を落とすためには３回以上往復することが好ましい。
【００２４】
この水槽１の水は井戸がある場合は井戸水を使用することが好ましいが、水道水や、清澄であれば河川や池の水等でもよく、特に制限されない。
また、前記水槽１にポンプ等の水流を起こす手段を設置し、戦車が入った後に水流を起こすことで泥等を洗い落とす効率を上げることができる。例えば、キャタピラや車輪に当たるように水流を起こすことでより洗浄効率を高めることができる。この水流は水槽１から水中ポンプでくみ上げた水を水流発生ノズルから噴射することにより起こすことができる。
【００２５】
前記水槽の水には多量の細かい泥の粒子等が含まれるため、そのまま放流すると田畑に流れ込み、水はけが悪くなる等により、田畑の作物に悪影響を与えるおそれがある。そこで、この水槽１の水は取水ポンプ４でくみ上げられ、サンドセパレータ５に送られる。サンドセパレータ５で遠心分離により泥等の粒子と水を分離し、泥の少ない上澄水はスプレー用水用の貯水槽６に送られ、貯留される。前記貯水槽６の水は、配管又はホース等を介して高圧ポンプ８により、実施例２，３のスプレー部に送られ、スプレー用水として再利用される。
【００２６】
サンドセパレータ５に貯まった泥等の粒子は自動又は手動で適宜取り除くことができる。
なお、この際、サンドセパレータ５と貯水槽６の間に適当なフィルタを挿入することで、より浄化されたスプレー水を得ることができる。
【実施例２】
【００２７】
図２は戦車の周囲からスプレーをかけることにより車輪やキャタピラの泥を洗い流すスプレーを示している。実施例１で出てきたスプレー用再利用水の貯水槽６に貯留された水は配管（ホース）によりスプレー部に導かれ、高圧ポンプ８により圧力をかけられて戦車の両側面、上部、下部のスプレーノズルから噴射される。この場合、キャタピラ外側のみでなく、戦車上部に付着した泥や、下部に付着した泥、キャタピラの内側に付着した泥も洗浄により除去することができる。このスプレー部は２か所設け、最初は再利用水で洗浄し、２回目は、井戸水や水道水等の清澄な水を使用して洗浄することでより効果的に泥を除去することができる。
【００２８】
両側面のスプレーノズルと戦車との距離は戦車の大きさにもよるが、５０ｃｍ〜１００ｃｍの間が好ましい。近すぎると、戦車と接触するおそれがあり、遠すぎるとスプレーの圧力が弱くなるからである。
【実施例３】
【００２９】
図３はキャタピラのすぐ上部に高圧水スプレーを設置することで至近距離からキャタピラに高圧水を噴きかけ、キャタピラに付着した泥等を落とす装置である。スプレーノズルを有するパイプの設置部位は、キャタピラに高圧水を噴きかけられる部位であれば特に制限されないが、戦車の泥除け部分の下側に設置することが好ましい。スプレーノズルを固定する方法としては、クリップ、磁石（電磁石）、等が考えられるが、洗浄時の高圧に耐える構造であれば特に限定されない。
【００３０】
また、この洗浄は、側面スプレーが終わった後等に個別に行うことも可能であるが、図１の水槽１を往復する間に同時に行うことが好ましい。
あるいは図２の側面スプレーと同時に行うことも可能である。すなわち、図２の側面スプレーエリアを通過する際に、同時に図３の高圧水スプレーノズルを有するパイプを戦車の泥除け部の下等に設置してキャタピラに高圧水を噴射することで、キャタピラの内部に入り込んだ泥等が押しだされ、それを側面（及び底面）からのスプレーで洗い流すことができる。
【００３１】
キャタピラの洗浄を他の洗浄工程と同時に行うことで洗浄に要する面積を少なくでき、また、洗浄時間も短縮できる。
この場合、実施例２では、キャタピラが１回転する距離が必要になるので、高圧水を供給する長いホースが必要になる。１回転しなければ、地面についたままのキャタピラの部位が生じて、その部分の洗浄が不十分になるからである。
【００３２】
実施例２と３で洗浄された排水についても細かい泥が含まれているため、これらの洗浄廃水についても廃水処理が必要である。そこで、ここから出た排水についてもサンドセパレータとフィルタで処理した後スプレー水として再利用することが好ましい。
【産業上の利用可能性】
【００３３】
本発明によれば、戦車の訓練後の洗浄時間を短縮することができ、洗浄廃水を少なくできることから、軍事関連産業、環境関連産業で利用することができる。また、このシステムはキャタピラを持つ重機、車両に応用できることから、土木産業、建築産業で利用することができる。
【符号の説明】
【００３４】
１    水槽
２    水
３    キャタピラ
４    取水ポンプ
５    サンドセパレータ
６    貯水槽
７    戦車
８    高圧ポンプ
９    高圧ポンプから
１０    配管（又はホース）
１１    側面スプレー部
１２    戦車の泥除け部
１３    スプレーノズル付パイプ
１４    水流発生ノズル
１５    弁
１６    弁
１７    上部スプレー部
１８    下部スプレー部
【図１】
2014034317.tif 000003
【図２】
2014034317.tif 000004
【図３】
2014034317.tif 000005
【手続補正書】
【提出日】平成24年8月9日(2012.8.9)
【手続補正１】
【補正対象書類名】図面
【補正対象項目名】図１
【補正方法】変更
【補正の内容】
【図１】
2014034317.tif 000006